(57)【要約】【課題】リビングルーム又はこれに類する居室と階段との空間的な連続性が得られるような収納棚付き階段構造を提供する。【解決手段】本発明の収納棚付き階段構造は、リビングルーム２等の居室を囲む壁３１に沿って設置された階段１において、階段１の居室側には階段１の高さを超えない側壁１２が設けられ、階段１の段板１１と同厚、同素材の板材からなる複数枚の棚板１６が、各々いずれかの段板１１と面一に連続して、側壁１２の居室側に突設されたものである。【選択図】図１
2008297763.tif 000002
【特許請求の範囲】
【請求項１】
リビングルーム又はこれに類する居室を囲む壁に沿って設置された階段において、
該階段の居室側には階段の高さを超えない側壁が設けられ、
階段を構成する段板と同厚、同素材の板材からなる複数枚の棚板が、各々いずれかの段板と面一に連続して、上記側壁の居室側に突設されたことを特徴とする収納棚付き階段構造。
【請求項２】
棚板は、階段を構成する段板のうち少なくとも階段の下半部に位置して互いに２段間隔にある段板にそれぞれ連続することを特徴とする請求項１に記載の収納棚付き階段構造。
【請求項３】
少なくとも２枚の棚板が、下から１段目及び３段目の段板にそれぞれ連続することを特徴とする請求項２に記載の収納棚付き階段構造。
【請求項４】
上下の棚板間には、横方向に移動しうる縦仕切板が取り付けられたことを特徴とする請求項１〜３のいずれかに記載の収納棚付き階段構造。
【請求項５】
階段が接する壁と階段の側壁とが同一又は同色調の仕上材によって仕上げられるとともに、縦仕切板が上記仕上材と同色調に形成されたことを特徴とする請求項１〜４のいずれかに記載の収納棚付き階段構造。
【請求項６】
複数段の段板を具備し、少なくとも昇降方向に沿う片側には階段の高さを超えない側壁が設けられ、段板と同厚、同素材の板材からなる複数枚の棚板が、少なくとも下から１段目の段板を含む２段間隔の段板とそれぞれ面一に連続して、上記側壁の外側に突設されたことを特徴とする収納棚付き階段ユニット。
【発明の詳細な説明】
【技術分野】
【０００１】
本発明は、住宅のリビングルーム等に設置される階段に収納スペースを一体的に組み合わせた収納棚付き階段構造と、該階段構造物の一部をユニット化した収納棚付き階段ユニットに関する。
【背景技術】
【０００２】
近年の住宅は、構造体の強度や断熱・気密性能の向上等によって大空間を形成しやすくなりつつある。さらに、ライフスタイルにおいても、脱個室化という生活欲求が強まっている。これらを背景として、家族の中心的なコミュニケーションスペースであるリビングルームを広くて明るい空間とし、その一角に見通しのよい階段と大きな吹抜けを設けて、リビングルームの開放感や上階との一体感を高めようとする空間構成を採用することが増えている。
【０００３】
上記のような、いわゆるリビング階段に収納スペースを組み合わせた構成に関しては、例えば、特許文献１等に開示されているように、階段下の空間を収納室としたり、階段自体が収納棚となった箱階段の構成がよく知られている。また、特許文献２には、階段の側縁に沿って、リビングルームの床面から階段の手摺くらいの高さまでのオープン棚を立ち上げ、リビングルーム側と階段側の両方から利用できるようにした構成も提案されている。
【特許文献１】特開２０００−２０４７５１号公報
【特許文献２】特開２００１−１３２２４８号公報
【発明の開示】
【発明が解決しようとする課題】
【０００４】
リビング階段に収納スペースを組み合わせた上記従来の構成は、機能性や収納効率等の面で、それぞれに一長一短はあるものの、意匠面では、さらに改善の余地がある。また、リビングルームと階段との空間的な連続性や一体感を形成するという点では、いずれも十分とは言い難い。
【０００５】
本発明は、特にリビングルーム（これに類する居室も含む）側から階段を見たときの意匠性を重視してなされたもので、リビングルームと階段との空間的な連続性が得られるような収納棚付き階段構造及び収納棚付き階段ユニットを提供するものである。
【課題を解決するための手段】
【０００６】
本発明の収納棚付き階段構造は、リビングルーム又はこれに類する居室を囲む壁に沿って設置された階段において、該階段の居室側には階段の高さを超えない側壁が設けられ、階段を構成する段板と同厚、同素材の板材からなる複数枚の棚板が、各々いずれかの段板と面一に連続して、上記側壁の居室側に突設されたことを特徴とする。
【０００７】
この構成によれば、居室に面する側壁に、階段の段板と高さを揃えて、段板と同厚、同素材の棚板が水平方向に設置されるので、棚板が階段の段板と一体化し、居室側から階段を見たときに、居室から階段にかけての空間的な連続性が形成される。棚板は、階段の高さを超えない側壁の面内に設置されるので、収納物が不用意に落下するような不安感もなくなり、階段付近が窮屈な印象になることも避けられる。
【０００８】
棚板の間隔は、階段の蹴上げ寸法（通常は２０ｃｍ前後）の１段分ないし３段分の範囲とするのが好ましいが、特に２段分とすることにより、一般的な雑誌や書籍の収納に適した実用的な棚板間隔が得られる。
【０００９】
また、棚板は、階段を構成する段板のうち少なくとも階段の下半部に位置するのが望ましく、少なくとも２枚の棚板が、特に下から１段目及び３段目の段板と連続するように設けた場合には、居室の床面から階段にかけて、適度にバランスのよいリズム感が形成される。
【００１０】
上下の棚板間に、横方向に移動しうる縦仕切板を取り付ければ、使い勝手が向上するとともに、垂直荷重に対する棚板の強度も確保される。この仕切板は、階段が接する壁、及び階段の側壁の仕上材と同色調に形成されるのが望ましく、これによって水平ラインの強調された空間イメージが形成される。
【００１１】
また、本発明の収納棚付き階段ユニットは、複数段の段板と蹴込み板とを具備し、少なくとも昇降方向に沿う片側には階段の高さを超えない側壁が設けられ、段板と同厚、同素材の板材からなる複数枚の棚板が、少なくとも下から１段目の段板を含む２段間隔の段板とそれぞれ面一に連続して、上記側壁の外側に突設されたことを特徴とする。この収納棚付き階段ユニットによれば、上記形態に係る収納棚付き階段を、現場施工ではなく、ユニットの据え付けによって容易に設置することができる。
【発明の効果】
【００１２】
上述のように構成される本発明の収納棚付き階段構造によれば、居室側から階段を見たときの空間的な連続性や一体感が形成されて、空間の快適性が増し、インテリアデザインの自由度も拡大する。
【００１３】
また、本発明の収納棚付き階段ユニットによれば、上記形態に係る収納棚付き階段を好適に施工することができる。
【発明を実施するための最良の形態】
【００１４】
以下、本発明の実施の形態について図を参照して説明する。
【実施例１】
【００１５】
図１〜図５は本発明の第１実施形態を示す。例示の階段１は、その側縁を壁３１に接して、リビングルーム２の一角に設置される直階段である。階段１は図示しない上階まで延び、階段１の上方には図示しない吹抜けが設けられる。
【００１６】
リビングルーム２側に面する階段１の側縁には、床面２１から段板１１の高さまでの側壁１２が設けられる。階段１の側縁が接する壁３１と、側壁１２、及び昇降方向に直交する壁３２の表面は、同一の内装仕上材によって仕上げられる。壁３１及び側壁１２の裏側には、各段ごとに段板１１を支える支持部材１４、１５等が取り付けられている（図５参照）。
【００１７】
側壁１２の表側には、収納棚を構成する３枚の棚板１６が、リビングルーム２側に突出して取り付けられている。棚板１６は、階段１の段板１１と同厚、同素材の板材からなり、階段１の下から１段目、３段目及び５段目の段板１１とそれぞれ面一に連続して、側壁１２の幅一杯にわたり水平に取り付けられている。
【００１８】
例示形態における棚板１６の奥行きは、段板１１の踏幅よりもやや大きい寸法になっている。棚板１６の縁部は、側壁１２及び壁３２に埋め込まれ、側壁１２及び壁の下地材１３、３３に挟み込まれた状態で保持される。最下段の棚板１６と床面２１との間には、棚板１６よりもやや奥行きの小さい台輪１７が形成されている。
【００１９】
上下の棚板１６間には、適宜間隔で横方向に移動しうる縦仕切板１８が、複数枚、取り付けられている。縦仕切板１８は、階段１が接する壁３１、３２や側壁１２に張設された内装仕上材と同じ色調に仕上げられており、これによって棚板１６の水平ラインが強調されている。
【００２０】
リビングルーム２側に面した階段１の側縁には、手摺４が、側壁１２の上方に立ち上がるようにして設置される。この手摺４は、階段１とリビングルーム２との間の空間的連続性を遮らないように、細くて軽快な印象の金属製部材からなる手摺棒４１及び手摺子４２と、透明な樹脂性のパネル４３により構成されている。このような構成により、リビングルーム２から階段１を見たときの空間的な一体感や拡がり感が形成されて、空間の快適性が増す。
【実施例２】
【００２１】
図６〜図７は本発明の第２実施形態を示す。この形態に係る階段１は、中間部で昇降方向がコ字状に屈曲する折返し階段である。したがって、リビングルーム２側に面する側壁１２の幅は、上記第１実施形態に比べて小さくなっている。
【００２２】
棚板１６は、上記第１実施形態と同様に、階段１の下から１段目、３段目及び５段目の段板１１とそれぞれ面一に連続するように取り付けられている。棚板１６の取付構造や、縦仕切板１８、手摺４等の構成については、上記第１実施形態と同様である。
【実施例３】
【００２３】
図８〜図９は本発明の第３実施形態を示す。この形態に係る階段１は、下部２段の昇降方向がＬ字状に屈曲してリビングルーム２側に面する曲り階段１である。棚板１６は、階段１の下から１段目及び３段目の段板１１に合わせて取り付けられている。下から１段目の棚板１６と段板１１は、前縁が一直線状に連続している。棚板１６の取付構造や、縦仕切板１８、手摺４等の構成については、上記第１及び第２実施形態と同様である。
【実施例４】
【００２４】
図１０〜図１５は本発明の第４実施形態に係る収納棚付き階段ユニット１０を示す。この形態は、階段１や棚板１６の構成部材を予め工場製作によって組み立て、ユニット化したものである。下から５段分の段板１１及び側壁１２と、下から１段目、３段目及び５段目の段板１１にそれぞれ連続する棚板１６とが、適宜の内部構造を備えた箱体として構成されている。箱体の内部構造は特に限定しない。
【００２５】
この収納棚付き階段ユニット１０をリビングルーム２の一角に据え付けて、上段の階段や手摺等を後施工することにより、第１〜第３実施形態のような階段１を現場施工によって設置する場合に比べて効率良く施工することができる。
【００２６】
なお、本発明は、上記各実施形態以外にも、空間全体の形態に合わせて棚板１６の間隔や奥行を適宜変化させるなどの変形が可能である。
【図面の簡単な説明】
【００２７】
【図１】本発明の第１実施形態に係る収納棚付き階段の斜視図である。
【図２】図１に示す収納棚付き階段の正面図である。
【図３】図１に示す収納棚付き階段の上面図である。
【図４】図１に示す収納棚付き階段の右側面図（手摺は図示せず）である。
【図５】図１に示す収納棚付き階段のＡ−Ａ’断面図（手摺は図示せず）である。
【図６】本発明の第２実施形態に係る収納棚付き階段の正面図である。
【図７】図６に示す収納棚付き階段の上面図である。
【図８】本発明の第３実施形態に係る収納棚付き階段の正面図である。
【図９】図８に示す収納棚付き階段の上面図である。
【図１０】本発明の第４実施形態に係る収納棚付き階段ユニットの正面図である。
【図１１】図８に示す収納棚付き階段ユニットの上面図である。
【図１２】図８に示す収納棚付き階段ユニットの右側面図である。
【図１３】図８に示す収納棚付き階段ユニットの左側面図である。
【図１４】図８に示す収納棚付き階段ユニットの背面図である。
【図１５】図８に示す収納棚付き階段ユニットの底面図である。
【符号の説明】
【００２８】
１  階段
１０  収納棚付き階段ユニット
１１  段板
１２  側壁
１６  棚板
１８  縦仕切板
２  リビングルーム（居室）
３１  壁
３２  壁
【図１】
2008297763.tif 000003
【図２】
2008297763.tif 000004
【図３】
2008297763.tif 000005
【図４】
2008297763.tif 000006
【図５】
2008297763.tif 000007
【図６】
2008297763.tif 000008
【図７】
2008297763.tif 000009
【図８】
2008297763.tif 000010
【図９】
2008297763.tif 000011
【図１０】
2008297763.tif 000012
【図１１】
2008297763.tif 000013
【図１２】
2008297763.tif 000014
【図１３】
2008297763.tif 000015
【図１４】
2008297763.tif 000016
【図１５】
2008297763.tif 000017